(57)【要約】【課題】  本発明は通信ネットワークを介して調理情報などを家庭内の加熱調理器に供給するため、安価な構成で実用に優れたネットワーク調理システムおよび加熱調理器を供給すること。【解決手段】  情報管理装置１と、通信ネットワーク２と、ホームネットワーク端末３と、ネットワーク通信手段７と、端末側表示手段８と、端末側無線通信手段９と、無線通信４と、加熱調理器５と、機器側無線通信手段１０と、機器側表示手段１１とを備え、情報管理装置から通信ネットワークを介して供給される調理情報をホームネットワーク端末上で閲覧でき、必要に応じて無線通信で加熱調理器に調理情報を転送できるため、加熱調理器側には調理をおこなうための最低限の表示機能を有する構成とする。【選択図】  図１
2005037066.tif 000002
【特許請求の範囲】
【請求項１】
通信ネットワークを介して情報を送受信する情報管理装置と、家庭内でデータを送受信するホームネットワーク端末と、無線通信にて前記ホームネットワーク端末から情報を送受信する加熱調理器とを備えて、前記ホームネットワーク端末は、前記情報管理装置と前記通信ネットワークを介して通信するためのネットワーク通信手段と、調理の情報などを表示する端末側表示手段と、前記加熱調理器と情報を送受信する端末側無線通信手段を有し、前記加熱調理器は、前記ホームネットワーク端末と無線通信にて情報を送受信するための機器側無線通信手段と、無線通信で供給された調理情報を表示する機器側表示手段とを備えてなるネットワーク調理システム。
【請求項２】
ホームネットワーク端末は、情報管理装置から通信ネットワークを介して供給される調理レシピを端末側表示手段にて表示し、前記調理レシピは、加熱調理器を制御する加熱条件（加熱モード、時間、温度等）からなる加熱制御情報と、材料、分量、手順、ワンポイントアドバイス等の非加熱制御情報から構成されており、利用者が調理レシピの転送を選択した場合、無線通信にて前記ホームネットワーク端末内の端末側無線通信手段から情報を送信し、加熱調理器内の機器側無線通信手段は情報を受信した際、機器側表示手段に調理レシピの加熱制御情報のみを表示する機能を有することを特徴とした請求項１記載のネットワーク調理システム。
【請求項３】
ホームネットワーク端末は、情報管理装置から通信ネットワークを介して供給される調理レシピを端末側表示手段にて表示し、前記調理レシピは、加熱調理器を制御する加熱条件（加熱モード、時間、温度等）を含む加熱制御情報と、材料、分量、手順、ワンポイントアドバイス等の非加熱制御情報から構成されており、利用者が調理レシピの転送を選択した場合、調理レシピの加熱制御情報のみを無線通信にて前記ホームネットワーク端末内の端末側無線通信手段から情報を送信する機能を有することを特徴とした請求項１記載のネットワーク調理システム。
【請求項４】
ホームネットワーク端末は、調理レシピを無線通信にて加熱調理器へ情報を送信した際、端末側表示手段に表示する調理レシピは自動的に次頁のレシピを表示する機能を有することを特徴とした請求項１または２記載のネットワーク調理システム。
【請求項５】
ホームネットワーク端末は、調理レシピを無線通信にて加熱調理器へ情報を送信する際、自動調理データと手動調理データの選択ができる機能を有することを特徴とした請求項１または２記載のネットワーク調理システム。
【請求項６】
請求項１から５のいずれか１項に記載のネットワーク調理システムを用いた調理加熱装置。
【発明の詳細な説明】
【技術分野】
【０００１】
本発明は、通信ネットワークを介して調理情報などを家庭内の加熱調理器に供給するネットワーク調理システムおよびそれを用いた調理加熱装置に関するものである。
【背景技術】
【０００２】
従来、この種のネットワーク調理システムおよびそれを用いた調理加熱装置は、通信ネットワークを介して電子レンジ用の調理情報や調理レシピを家庭内の電子レンジに供給するシステムが提案されている（例えば特許文献１および特許文献２参照）。
【０００３】
これらのシステムはパーソナルコンピュータまたはＰＤＡ(personal digital assistant)を介して電子レンジにデータを供給することを前提にしている。
【０００４】
また、パーソナルコンピュータやＰＤＡを経由せず、インターフェース部のみを経由して、調理情報を取得しているものもある（例えば特許文献３参照）。
【０００５】
さらに、直接通信ネットワークを介して調理情報を受信する機能を備えた電子レンジも提案されている（例えば、特許文献４または特許文献５参照）。
【特許文献１】特開２０００−３４６３６６号公報
【特許文献２】特開２０００−３４６３６７号公報
【特許文献３】特開２００３−１３２２０５号公報
【特許文献４】特開２００１−７４２４７号公報
【特許文献５】特開２００３−１２０９３７号公報
【発明の開示】
【発明が解決しようとする課題】
【０００６】
しかしながら、前記従来の構成では、いずれの場合も、電子レンジの表示部にて、取得した調理情報や調理レシピを閲覧することを前提としているため、限られた表示面積の中に調理レシピ等をすべて表示するためには、表示部としてドットタイプやカラー対応タイプなど、高価な表示部を搭載する必要がある。もちろん限られた表示面積内で情報を表示することも可能だが、使用者は混乱をしてしまう可能性があり、必要な時に必要な情報を見ることができるものが最善と思われる。
【０００７】
また、ＩＨクッキングヒータや炊飯器等他の調理器とのネットワーク調理システムを考慮すれば、表示部は従来同様タイプを使用するほうが、システムとしては、安価になる。
【０００８】
また、調理レシピ等を表示させるには、１メニューあたり１００Ｋバイトから５００Ｋバイト、場合によっては、１Ｍバイトの容量が必要になり、従来使用のマイクロコンピュータの持つ１Ｋバイト、２Ｋバイトの容量とは格段に差があり、取得したデータを格納するメモリは、容量の大きなものを搭載する必要があり、最低限、通信ネットワークとの通信機能も必要なため、システムとしては、さらに高価なものになってしまうという課題を有していた。
【０００９】
また、電子レンジの表示部で調理レシピを閲覧する場合、調理の加熱を行う場合には調理レシピは見ることができないため、続けて次の調理の下ごしらえを行うことができない。パーソナルコンピュータやＰＤＡで閲覧する場合は問題ないが、誰でも容易に扱えることができないなど、操作性を低下させるという課題を有していた。
【００１０】
本発明は、前記従来の課題を解決するもので、安価な構成で、容易に通信ネットワークを介して調理情報を利用できるネットワーク調理器システムおよびそれを用いた調理加熱装置を提供することを目的とする。
【課題を解決するための手段】
【００１１】
前記従来の課題を解決するために、本発明のネットワーク調理システムは、通信ネットワークを介して情報を送受信する情報管理装置と、家庭内で、データを送受信するホームネットワーク端末と、無線通信にてホームネットワーク端末から情報を送受信する加熱調理器を備えている。
【００１２】
ホームネットワーク端末は情報管理装置と通信ネットワークを介して通信するためのネットワーク通信手段と、調理の情報などを表示する端末側表示手段と、加熱調理器と情報を送受信する端末側無線通信手段を有している。
【００１３】
加熱調理器は、ホームネットワーク端末と無線通信にて情報を送受信するための機器側無線通信手段と、無線通信で供給された調理情報などを表示する機器側表示手段とを備えている。
【００１４】
これによって、情報管理装置から通信ネットワークを介して供給される調理情報をホームネットワーク端末上で閲覧でき、必要に応じて無線通信で加熱調理器に調理情報を転送できるため、加熱調理器側には調理をおこなうための最低限の表示機能を有するだけでよい。また、転送するデータは１００バイトもあれば十分なため、従来の構成のまま使用することが可能になる。
【発明の効果】
【００１５】
本発明のネットワーク調理システムおよびそれを用いた調理加熱装置は、調理レシピを閲覧しながら調理することが可能になり、操作性の向上を図ることができる。
【００１６】
また、安価な構成で加熱調理器を生産できるため、各種の加熱調理器に搭載し、必要に応じて調理器を選択することが可能になる。
【発明を実施するための最良の形態】
【００１７】
第１の発明は、通信ネットワークを介して情報を送受信する情報管理装置と、家庭内でデータを送受信するホームネットワーク端末と、無線通信にてホームネットワーク端末から情報を送受信する加熱調理器とを備え、ホームネットワーク端末は、情報管理装置と通信ネットワークを介して通信するためのネットワーク通信手段と、調理の情報などを表示する端末側表示手段と、加熱調理器と情報を送受信する端末側無線通信手段を有している。
【００１８】
加熱調理器は、ホームネットワーク端末と無線通信にて情報を送受信するための機器側無線通信手段と、無線通信で供給された調理データを表示する機器側表示手段とを備えることにより、情報管理装置から通信ネットワークを介して供給される調理情報をホームネットワーク端末上で閲覧でき、必要に応じて無線通信で加熱調理器に調理情報を転送できる。
【００１９】
これにより、調理レシピを閲覧しながら必要に応じて、加熱調理器で調理することが可能になり、操作性の向上を図ることができる。
【００２０】
第２の発明は、特に、第１の発明のホームネットワーク端末にて、情報管理装置から通信ネットワークを介して供給される調理レシピを端末側表示手段に表示する際、調理レシピは、加熱調理器を制御する加熱条件（加熱モード、時間、温度等）からなる加熱制御情報と、材料、分量、手順、ワンポイントアドバイス等の非加熱制御情報から構成されている。
【００２１】
利用者が調理レシピの転送を選択した場合、無線通信にて前記ホームネットワーク端末内の端末側無線通信手段から情報を送信し加熱調理器内の機器側無線通信手段は情報を受信すると、機器側表示手段に調理レシピの加熱制御情報のみを表示する機能を有することにより、加熱調理器側には調理をおこなうための最低限の表示機能を有するだけでよいため、安価な構成で加熱調理器を生産でき、各種の加熱調理器に搭載し、必要に応じて調理器を選択することが可能になる。
【００２２】
第３の発明は、特に、第１または第２の発明の利用者が調理レシピの転送を選択した場合、調理レシピの加熱制御情報のみを無線通信にて前記ホームネットワーク端末内の端末側無線通信手段から情報を送信する機能を有することにより、送信データ量を削減できるため、通信時間の短縮および加熱調理器で保存するデータ量を削減できるため、メモリー量の削減が図れ、さらに安価な構成で加熱調理器を生産できる。
【００２３】
第４の発明は、特に、第１または第２の発明のホームネットワーク端末は、調理レシピを無線通信にて加熱調理器へ情報を送信した際、端末側表示手段を用いて表示する調理レシピは自動的に次頁のレシピを表示する機能を有することにより、調理レシピを閲覧しながら調理する際、調理器で調理中にすぐ次の手順を見ることができ、操作性の向上を図ることができる。
【００２４】
第５の発明は、特に、第１または第２の発明のホームネットワーク端末は、調理レシピを無線通信にて加熱調理器へ情報を送信する際、自動調理データと手動調理データの選択ができる機能を有することにより、利用者が調理時間を調整したい時は手動データを、自動で調理したい時は自動データを選択することが可能になり、利用者の目的に応じた調理情報を転送できるため、操作性の向上を図ることができる。
【００２５】
第６の発明は、特に、第１から第５の発明のネットワーク調理システムを用いた調理加熱装置を提供することにより、各種の加熱調理器を複数用意することで、調理レシピの幅を広げ、操作性の向上を図ることができる。
【００２６】
以下本発明の実施の形態について、図面を参照しながら説明する。なお、この実施の形態によって本発明が限定されるものではない。
【００２７】
（実施の形態１）
図１は、本発明の第１の実施の形態におけるネットワーク調理システムの詳細ブロック図を示すものである。
【００２８】
図２に、ネットワーク調理システムの概略構成図を示す。
【００２９】
図１において、ネットワーク調理システムは、一般にサーバと呼ばれ、複数の調理レシピなどのデータを格納している情報管理装置１と、通信ネットワーク２によって接続される家庭内に設置されたホームネットワーク端末３と、ホームネットワーク端末３と無線通信４によって接続される加熱調理器５で構成されている。
【００３０】
以上のように構成されたネットワーク調理システムについて、図１および図２を用いて以下にその動作、作用を説明する。
【００３１】
まず、ホームネットワーク端末３の端末側表示部６はタッチパネルで構成され、利用者は、調理の種類、素材などから調理レシピを選択すると、ホームネットワーク端末３内のネットワーク通信手段７により、通信ネットワーク２を介して情報管理装置１から調理レシピをダウンロードし、端末側表示手段７により、端末側表示部６に表示される。
【００３２】
利用者は、端末側表示部６に表示される調理のできあがり写真や、所要時間などの概要、材料等を見ることで、その調理が気に入らなければ、再度選びなおせばよい。気に入れば、続けて、作り方を見ることができる。調理のレシピは通常、下ごしらえから焼き上げなど、複数の調理で構成されており、順に作り方を閲覧しながら、調理を完成させる。
【００３３】
そのため、加熱調理器５は、電子レンジや、IHクッキングヒーター、メニューによっては炊飯器など、複数の調理器が考えられ、一つの調理器に調理レシピ全てを送信しても使わない調理もあり、不要なデータになってしまう。
【００３４】
利用者は、端末側表示部６に表示される調理レシピを順に確認しながら準備していき、調理の転送可能画面になると、必要に応じて加熱調理器５への転送ボタンを押すことにより、端末側無線通信手段９から、加熱調理器５内の機器側無線通信手段１０へ無線通信４により調理情報が転送され、機器側表示手段１１により、機器側表示部１２に表示され、加熱調理器は動作可能な状態になり、機器側操作部１３内の調理スタートキーを押すことで、調理を開始することができる。
【００３５】
この時に、機器側表示部１２は、調理の加熱情報が設定された状態を表示できれば十分なため、従来同様の簡単な表示部で構成できるため、特別に調理レシピを見るためのドットタイプやカラータイプの表示部を用いなくてもよく、安価な構成で作成できる。
【００３６】
以上のように本実施の形態においては、ホームネットワーク端末３内の端末側表示手段８を用いて、調理レシピを閲覧し、必要に応じて端末側無線通信手段９を用いて調理データを転送し、加熱調理器５は、機器側無線通信手段１０が調理情報を受信すると、機器側表示手段１１を用いて機器側表示部１２に表示する構成にすることにより、調理レシピを閲覧しながら調理することができ、操作性の向上につながる。
【００３７】
また、本実施の形態では、加熱調理器５内の機器側表示手段は、調理レシピの加熱情報のみを表示する構成にすることにより、従来の物に、機器側無線通信手段のみを追加することで構成でき、安価な構成で実現できるだけでなく、各種の加熱調理器に搭載することが可能になる。
【００３８】
また、本実施の形態では、調理レシピの加熱制御情報のみを無線通信４にてホームネットワーク端末３内の端末側無線通信手段９から情報を送信する機能を有することにより、送信データ量を削減できるため、通信時間の短縮および加熱調理器で保存するデータ量を削減できるため、メモリー量の削減が図れ、さらに安価な構成で加熱調理器を生産できる。
【００３９】
また、本実施の形態では、調理レシピを無線通信４にて加熱調理器５へ情報を送信した際、端末側表示手段８を用いて表示する調理レシピは自動的に次頁のレシピを表示する機能を有することにより、調理レシピを閲覧しながら調理する際、加熱調理器で調理中にすぐ次の手順を見ることができ、操作性の向上を図ることができる。
【００４０】
また、本実施の形態では、調理レシピを無線通信にて加熱調理器へ情報を送信する際、自動調理データと手動調理データの選択ができる機能を有することにより、利用者が調理時間を調整したい時は手動データを、自動で調理したい時は自動データを選択することが可能になり、利用者の目的に応じた調理情報を転送できるため、操作性の向上を図ることができる。
【００４１】
（実施の形態２）
図３は、本発明の第２の実施の形態におけるネットワーク調理システムのホームネットワーク端末３内の端末側表示部６に表示される画面遷移図を示すものである。
【００４２】
図３において、ホームネットワーク端末３の端末側表示部６はタッチパネル構成になっており、新しいレシピを選択すると、図Ｆ１の表示になる。ここで、例えば「素材から探す」にタッチすると、図Ｆ２の画面に遷移する。さらに、「葉菜」「キャベツ」と選んでいくと、図Ｆ３、図Ｆ４と遷移する。ここで、メニューを選ぶことができ、「キャベツのしらすあえ」をタッチすると、図Ｆ５に遷移し、調理の出来上がり画像が表示される。
【００４３】
ここで、さらに「概要」を押すことにより図Ｆ６に遷移し、所要時間やカロリーなどを表示し、分量も変更できるようになっている。続いて「材料」にタッチすれば、図Ｆ７の材料画面に遷移し、「調理・閲覧」にタッチすると、図Ｆ８に遷移し作り方を見ることができる。調理レシピを閲覧していくと、図Ｆ９のようにレシピが表示され、続けてみることができる。次に調理がある場合は、図Ｆ１０の画面になり、「レンジにデータを転送」をタッチすると、加熱調理器である電子レンジにデータが転送される。
【００４４】
なお、自動で調理可能なメニューがある場合、自動調理と手動調理のどちらで調理するか選択可能な場合、図Ｆ１１のように、「自動データを転送」「手動データを転送」のどちらかを選択し、そのボタンにタッチすることで、調理を転送することができる。これにより、選択肢が広がり、操作性の向上につながる。
【００４５】
さらに、図Ｆ１０または、図Ｆ１１で調理を転送すると、自動的に図Ｆ１２の画面に遷移する構成にすることにより、調理中に次のレシピを閲覧することができ、操作性の向上につながる。
【産業上の利用可能性】
【００４６】
以上のように、本発明にかかるネットワーク調理システムおよびそれを用いた調理加熱装置は、調理レシピを閲覧しながら調理することが可能になり、操作性の向上を図ることができるので、調理を行うすべての調理器等の用途にも適用できる。
【図面の簡単な説明】
【００４７】
【図１】本発明の実施の形態１におけるネットワーク調理システムの詳細ブロック図
【図２】本発明の実施の形態１におけるネットワーク調理システムの概略構成図
【図３】本発明の実施の形態１、２におけるネットワーク調理システムのホームネットワーク端末に表示される画面遷移図
【符号の説明】
【００４８】
１  情報管理装置
２  通信ネットワーク
３  ホームネットワーク端末
４  無線通信
５  加熱調理器
７  ネットワーク通信手段
８  端末側表示手段
９  端末側無線通信手段
１０  機器側無線通信手段
１１  機器側表示手段
【図１】
2005037066.tif 000003
【図２】
2005037066.tif 000004
【図３】
2005037066.tif 000005